(57)【要約】【課題】不特定多数の各ユーザが利用する場所で、各ユーザに適したライティングを行う。【解決手段】照明システム１０は、ユーザの顔を映す鏡２０周辺を照明する。ライト１００は、鏡２０の周辺に設けられている。センサ類１０１は、例えばカメラ１０２や赤外線センサ１０４等であり、鏡２０の周辺に位置するユーザの顔に関する情報を検出する。ライト制御部１１０は、センサ類１０１による顔に関する情報の検出結果に基づいて、ライト１００の点灯状態を制御する。【選択図】図１
2020035584.tif 000002
【特許請求の範囲】
【請求項１】
ユーザの顔を映す鏡周辺を照明する照明システムであって、
前記鏡周辺に設けられたライトと、
前記鏡周辺に位置する前記ユーザの顔に関する情報を検出するセンサ類と、
前記センサ類による前記顔に関する情報の検出結果に基づいて、前記ライトの点灯状態を制御するライト制御部と、
を備えることを特徴とする照明システム。
【請求項２】
前記ライト制御部は、前記鏡に映った前記ユーザの顔の美観を向上させるように前記ライトの点灯状態を制御する、
ことを特徴とする請求項１記載の照明システム。
【請求項３】
前記センサ類は、前記ユーザの顔の肌色を検出し、
前記ライト制御部は、前記肌色に基づいて前記ライトの色温度を調整する、
ことを特徴とする請求項１または２記載の照明システム。
【請求項４】
前記センサ類は、前記ユーザの顔のしわの数を検出し、
前記ライト制御部は、前記しわの数に基づいて前記ライトの点灯位置を調整する、
ことを特徴とする請求項１または２記載の照明システム。
【請求項５】
前記センサ類は、前記ユーザの顔の位置を検出し、
前記ライト制御部は、前記顔の位置に基づいて前記ライトの光量を調整する、
ことを特徴とする請求項１または２記載の照明システム。
【請求項６】
前記センサ類は、前記ユーザの顔のパーツの位置を検出し、
前記ライト制御部は、前記顔のパーツの位置に基づいて各パーツに対応する位置の前記ライトの色温度を変更する、
ことを特徴とする請求項１または２記載の照明システム。
【請求項７】
請求項１から６のいずれか１項記載の照明システムを備えることを特徴とする航空機用化粧室ユニット。
【請求項８】
前記ライト制御部は、前記顔に関する情報の検出結果とともに、前記航空機の到着地または出発地の少なくともいずれかの情報に基づいて、前記ライトの点灯状態を制御する、
ことを特徴とする航空機用化粧室ユニット。
【発明の詳細な説明】
【技術分野】
【０００１】
本発明は、ユーザの顔を映す鏡周辺を照明する照明システムおよび照明システムを備えた航空機用化粧室ユニットに関する。
【背景技術】
【０００２】
従来、化粧室等の鏡が設置されている場所には、鏡に映るユーザを照らし、視認性を向上させるための照明が設けられている。
例えば、下記特許文献１には、便器と、前記便器の上に設けられた便座と、第１照明と、を有し、トイレ室内に設けられるトイレ装置と、前記トイレ室内における人体の検知を行う人体検知センサと、前記トイレ装置を操作するためのリモコンと、前記トイレ室内の側壁に設けられ、第２照明を有する鏡と、下方を照らす第３照明を有し、前記トイレ室内において前記鏡の下方に設けられ、前記トイレ室の床面と離間するキャビネットと、前記第１照明と、前記第２照明と、前記第３照明と、を制御する制御部と、を備え、前記制御部は、前記入室検知センサが人体を検知した後に前記第１照明および前記第２照明を点灯させ、前記第１照明および前記第２照明を点灯させた後に前記第３照明を点灯させることを特徴とするトイレシステムが開示されている。
【先行技術文献】
【特許文献】
【０００３】
【特許文献１】特開２０１７−１６９９０１号公報
【発明の概要】
【発明が解決しようとする課題】
【０００４】
このような鏡周辺の照明は、施主の要望等により色温度、明るさ、演色評価数（ＣＲＩ：Ｃｏｌｏｒ  Ｒｅｎｄｅｒｉｎｇ  Ｉｎｄｅｘ）といった調光パラメータが定められている。これらの調光パラメータは、使用毎に変更することを前提としておらず、基本的に固定値として取り扱われている。
一方で、例えば商業施設や航空機などの化粧室は多くの人が利用するため、個々のユーザ（鏡の利用者）へのライティング状態はそれぞれ異なってくる。鏡に映った自身の見た目は、ユーザの心理に少なからず影響するため、各ユーザに適したライティング（調光）を行うことが好ましい。
本発明は、このような事情に鑑みなされたものであり、その目的は、不特定多数の各ユーザが利用する場所で、各ユーザに適したライティングを行うことにある。
【課題を解決するための手段】
【０００５】
上述の目的を達成するため、請求項１の発明にかかる照明システムは、ユーザの顔を映す鏡周辺を照明する照明システムであって、前記鏡周辺に設けられたライトと、前記鏡周辺に位置する前記ユーザの顔に関する情報を検出するセンサ類と、前記センサ類による前記顔に関する情報の検出結果に基づいて、前記ライトの点灯状態を制御するライト制御部と、を備えることを特徴とする。
請求項２の発明にかかる照明システムは、前記ライト制御部は、前記鏡に映った前記ユーザの顔の美観を向上させるように前記ライトの点灯状態を制御する、ことを特徴とする。
請求項３の発明にかかる照明システムは、前記センサ類は、前記ユーザの顔の肌色を検出し、前記ライト制御部は、前記肌色に基づいて前記ライトの色温度を調整する、ことを特徴とする。
請求項４の発明にかかる照明システムは、前記センサ類は、前記ユーザの顔のしわの数を検出し、前記ライト制御部は、前記しわの数に基づいて前記ライトの点灯位置を調整する、ことを特徴とする。
請求項５の発明にかかる照明システムは、前記センサ類は、前記ユーザの顔の位置を検出し、前記ライト制御部は、前記顔の位置に基づいて前記ライトの光量を調整する、ことを特徴とする。
請求項６の発明にかかる照明システムは、前記センサ類は、前記ユーザの顔のパーツの位置を検出し、前記ライト制御部は、前記顔のパーツの位置に基づいて各パーツに対応する位置の前記ライトの色温度を変更する、ことを特徴とする。
請求項７の発明にかかる航空機用化粧室ユニットは、請求項１から６のいずれか１項記載の照明システムを備えることを特徴とする。
請求項８の発明にかかる航空機用化粧室ユニットは、前記ライト制御部は、前記顔に関する情報の検出結果とともに、前記航空機の到着地または出発地の少なくともいずれかの情報に基づいて、前記ライトの点灯状態を制御する、ことを特徴とする。
【発明の効果】
【０００６】
請求項１の発明によれば、ユーザの顔に関する情報に基づいてライトの点灯状態を制御するので、個々のユーザに適したライティングを行うことができ、鏡使用時の利便性を向上させることができる。
請求項２の発明によれば、鏡に映ったユーザの顔の美観を向上させるようにライトの点灯状態を制御するので、鏡を使用した際のユーザの心理状態を向上させる上で有利となる。
請求項３の発明によれば、肌色に基づいてライトの色温度を調整するので、ユーザの肌色を健康的に映す上で有利となる。
請求項４の発明によれば、ユーザの顔のしわの数に基づいてライトの点灯位置を調整するので、鏡に映るユーザの顔のしわを目立たなくし若々しく見せる上で有利となる。
請求項５の発明によれば、ユーザの顔の位置に基づいてライトの光量を調整するので、鏡に映る顔の視認性を向上させる上で有利となる。
請求項６の発明によれば、ユーザの顔のパーツの位置に基づいて各パーツに対応する位置のライトの色温度を変更するので、鏡に映るユーザの顔の血色を向上させ、健康的に見せる上で有利となる。
請求項７の発明によれば、航空機用化粧室ユニットの利便性を向上させる上で有利となる。
請求項８の発明によれば、ユーザの顔に関する情報の検出結果とともに、航空機の到着地または出発地の少なくともいずれかの情報に基づいて、ライトの点灯状態を制御するので、航空機内での利便性を向上させる上で有利となる。
【図面の簡単な説明】
【０００７】
【図１】実施の形態にかかる照明システムの構成を示すブロック図である。
【図２】鏡周辺におけるライトの配置例を示す図である。
【図３】カメラの配置位置を示す説明図である。
【図４】ユーザの顔のパーツの位置を模式的に示す説明図である。
【発明を実施するための形態】
【０００８】
以下に添付図面を参照して、本発明にかかる照明システムの好適な実施の形態を詳細に説明する。
図１は、実施の形態にかかる照明システム１０の構成を示すブロック図である。
実施の形態にかかる照明システム１０は、ユーザの顔を映す鏡２０周辺を照明するためのシステムである。鏡２０は、例えば化粧室の手洗い場や化粧直し用スペース、後述する航空機用化粧室ユニット内などに設けられている。本実施の形態では、鏡２０は、例えば図２に示すように、ユーザＵが通常の鏡使用位置（例えば鏡２０が手洗い場に設けられている場合には手洗い用シンクの前など）に来た際に、ユーザＵの顔〜上半身程度を映すことができる大きさであるものとする。
【０００９】
照明システム１０は、ライト１００、センサ類１０１（カメラ１０２、赤外線センサ１０４）、タッチパネル１０６、マイク１０８およびライト制御部１１０を備える。
ライト１００は、例えばＬＥＤ灯などであり、鏡２０周辺に設けられている。本実施の形態では、鏡２０周辺に複数のライト１００を設けているものとする。ライト１００は、色温度、明るさ（光量）、演色評価数、点灯位置、照明方向の少なくともいずれか（以下、「調光パラメータ」という）を変更可能である。
【００１０】
図２Ａ〜図２Ｃは、鏡２０周辺におけるライト１００の配置例を示す図である。
図２Ａでは、矩形の鏡２０の各辺に沿って、ライン状のライト１００が４つ設けられており、各ライト１００は、それぞれ個別に点灯／消灯の切り替えや調光パラメータの変更が可能である。また、ライン状のライト１００が、点光源を直線上に配置してパッケージしたものである場合には、直線を複数の領域に分割して当該領域ごとに点灯／消灯の切り替えや調光パラメータの変更が可能である。
また、図２Ｂでは、ユーザＵの顔を略中心に円環状にライト１００が配置されている。図示の例では円環部は８つ（上、右上、右、右下、下、左下、左、左上）に分割されており、各円環部を構成するライト１００は、それぞれ個別に点灯／消灯の切り替えや調光パラメータの変更が可能である。
また、図２Ｃの例では、電球型のライト１００が矩形の鏡２０の各辺の近傍に所定間隔で配置されている。各ライト１００は、それぞれ個別に点灯／消灯の切り替えや調光パラメータの変更が可能である。
なお、図２Ａ〜図２Ｃの例では、鏡２０と重畳してライト１００を配置しているが、鏡２０と重畳しない位置（鏡２０周囲の壁面、天井など）にライト１００を配置していてもよいことは勿論である。また、それぞれのライト１００にパンやチルトの機能を設け、照明方向を制御できるようにしてもよい。
【００１１】
図１の説明に戻り、センサ類１０１は、鏡２０周辺に位置するユーザＵの顔に関する情報を検出する。本実施の形態では、センサ類１０１として、カメラ１０２および赤外線センサ１０４を設けている。
カメラ１０２は、鏡２０を利用するユーザの顔を含む画像を撮影する。カメラ１０２は、例えば図３に示すように鏡２０の裏面側に配置される。より詳細には、例えば鏡２０をハーフミラーとし、裏面側に透過した光をカメラ１０２で撮影する。また、鏡２０を全反射ミラーとした場合、鏡２０の裏面側からカメラ１０２のレンズを露出させる切欠きを設け、当該切欠き部から撮影を行ってもよい。この場合、鏡２０の中央部に切欠きがあるとユーザに違和感を与える可能性があるため、例えば鏡２０の上部（または下部側）側に切欠きを設け、この位置から撮影を行ってもよい。
センサ類１０１としてカメラ１０２を用いることによって、例えばユーザの顔の肌色、ユーザの顔のしわの数、ユーザの顔の位置、ユーザの顔のパーツの位置等を検出することができる。なお、これらの情報を検出する手段は、カメラ１０２に限らず従来公知の様々なセンサを用いることができる。
赤外線センサ１０４は、鏡２０とユーザとの距離、すなわちユーザの位置（特に奥行方向の位置）を検出する。また、後述するように、赤外線センサ１０４を温度センサとして用いてユーザの顔の位置等を検出してもよい。
【００１２】
タッチパネル（操作部）１０６は、ユーザからライト１００の点灯状態の調整を受け付ける。ライト１００の点灯状態の調整とは、上述のように例えば、ライト１００の点灯／消灯の切り替えや調光パラメータの調整などである。
また、例えば予め所定のテーマ（例えば朝日、夕暮れ、ロマンチック、ハワイの日差しなど）に沿った調光パラメータのセットを設定しておき、ユーザがタッチパネル１０６を介して任意のテーマを選択することにより調光パラメータを設定できるようにしてもよい。
なお、鏡２０としてスマートミラーを用い、タッチパネル１０６を鏡２０の表面に表示するようにしてもよい。
【００１３】
マイク１０８は、ユーザの発話を集音する。本実施の形態では、マイク１０８は、ユーザから音声によりライト１００の点灯状態の調整を受け付ける。ユーザは、例えば「もう少し明るく」など具体的に点灯状態を調整する語句を発話したり、「ハワイ」など調光パラメータセットと対応付けられたイメージ語を発話することにより、ライト１００の点灯状態を調整することができる。
また、マイク１０８で集音したユーザの声を解析することにより、ユーザの属性（居住地（国籍）、性別、年齢等）を推定することができる。このような属性に基づいて当該ユーザに適した調光パラメータを選択したり、ライト制御部１１０における制御をより高精度に行うことができる。
特に、照明システム１０を航空機用化粧室ユニットに適用した場合、タッチパネル１０６に代えて、またはタッチパネル１０６と共にマイク１０８を設置して、タッチレス操作を可能にすることが好ましい。これは、航空機用化粧室ユニットに対しては、衛生的であることへのニーズが非常に高いためである。
また、マイク１０８とともにスピーカーを設けて、音声による入力内容の確認や対話型の入力を可能としてもよい。
【００１４】
ライト制御部１１０は、センサ類１０１によるユーザの顔に関する情報の検出結果に基づいて、ライト１００の点灯状態を制御する。
ライト制御部１１０は、例えば鏡２０に映ったユーザの顔の美観を向上させるようにライト１００の点灯状態を制御する。本実施の形態では、美観を向上させるとは、例えばより健康的に、より若々しく見えるようにすることを指す。
なお、タッチパネル１０６を介してユーザからライト１００の点灯状態の調整を受け付けた場合には、そちらの内容に沿ってライト１００の点灯状態を制御するのが好ましい。
【００１５】
センサ類１０１でユーザの顔の肌色を検出した場合、ライト制御部１１０は、ユーザの肌色に基づいてライト１００の色温度を調整する。例えばユーザの肌色が薄い（白に近い）場合、ライト１００の色温度を低く（暖色系に）する。また、ユーザの肌色が濃い場合、ライト１００の色温度を高く（寒色系に）する。
【００１６】
また、センサ類１０１でユーザの顔のしわの数を検出した場合、ライト制御部１１０は、しわの数に基づいてライト１００の点灯位置を調整する。例えばしわの数が多い場合には、しわの影を見えにくくするため、ユーザの顔に対して下方向からの光を強めにする。
【００１７】
また、センサ類１０１でユーザの顔の位置を検出した場合、ライト制御部１１０は、ユーザの顔の位置（鏡２０からの奥行方向の距離）に基づいてライト１００の光量を調整する。例えば、ユーザが鏡２０の利用開始後、鏡２０に近づいた場合には、光量が不足している可能性があるため光量を強める。また、鏡２０から遠ざかった場合には、光量が強くまぶしいと感じている可能性があるため光量を弱める。
また、ライト制御部１１０は、例えば鏡２０に映るユーザの顔の位置に基づいてライト１００の点灯位置を調整するようにしてもよい。すなわち、ユーザの背の高さによって鏡２０に映るユーザの顔の位置（上下方向位置）は異なる。特に、鏡２０の上辺および下辺に沿ってライト１００が設けられている場合、標準よりも特に背の高いユーザや子供などの背の低いユーザは、ライト１００の位置に顔が重なり、不都合が生じる場合がある。この場合、ライト制御部１１０は、ユーザの顔に重なる位置にあるライト１００は消灯し、鏡２０の利用を妨げないようにする。
【００１８】
また、センサ類１０１でユーザの顔のパーツの位置を検出した場合、ライト制御部１１０は、顔のパーツの位置に基づいて各パーツに対応する位置のライトの色温度を変更する。例えば、図４に示すように、ユーザの顔を上下方向にエリア分けし、額から目元までを領域Ａ、鼻や頬を含む部分を領域Ｂ、口元から顎までを領域Ｃとする。そして、領域Ａは白色〜黄色に対応する色温度の光を、領域Ｂは赤色に対応する色温度の光を、領域Ｃは青や緑、灰色に対応する色温度の光を、それぞれ当てるようにする。
これにより、より血色がよく健康的な顔映りを実現することができる。
【００１９】
以上説明したように、実施の形態にかかる照明システム１０によれば、ユーザの顔に関する情報に基づいてライト１００の点灯状態を制御するので、個々のユーザに適したライティングを行うことができ、鏡使用時の利便性を向上させることができる。
また、照明システム１０は、鏡２０に映ったユーザの顔の美観を向上させるようにライト１００の点灯状態を制御するので、鏡２０を使用した際のユーザの心理状態を向上させる上で有利となる。
また、照明システム１０において、ユーザの肌色に基づいてライト１００の色温度を調整するようにすれば、ユーザの肌色を健康的に映す上で有利となる。
また、照明システム１０において、ユーザの顔のしわの数に基づいてライト１００の点灯位置を調整するようにすれば、鏡２０に映るユーザの顔のしわを目立たなくし若々しく見せる上で有利となる。
また、照明システム１０において、ユーザの顔の位置に基づいてライト１００の光量を調整するようにすれば、鏡２０に映る顔の視認性を向上させる上で有利となる。
また、照明システム１０において、ユーザの顔のパーツの位置に基づいて各パーツに対応する位置のライト１００の色温度を変更するようにすれば、鏡２０に映るユーザの顔の血色を向上させ、健康的に見せる上で有利となる。
【００２０】
（実施例）
本発明にかかる照明システム１０を航空機用化粧室ユニットに適用した場合について説明する。
航空機用化粧室ユニットは、通常のトイレ個室よりやや広い程度の面積に、便器や手洗い用シンク等が収容されている。航空機用化粧室ユニット内の鏡２０は、通常手洗い用シンクに隣接する壁面に設けられている。
航空機用化粧室ユニットは比較的面積が狭く、また鏡２０とユーザの距離も小さいため、より高精度にライティング状態を調整することができる。
また、航空機内では基本的に座席への着席が求められるため、特に長時間のフライトではユーザが疲労を覚える場合がある。このような状態で、例えばユーザが自身の肌色を悪く見せるような照明下で鏡を見ると、気持ちが暗くなり更に疲労が高まる可能性がある。照明システム１０により個々のユーザに適したライティングを行うことによって、ユーザの気持ちをリフレッシュさせ、疲労を低減させる上で有利となる。
【００２１】
なお、上記のように、航空機用化粧室ユニット内には便器が設けられているため、例えばセンサとしてカメラ１０２を設けるのは適切でない場合がある。この場合、例えば赤外線センサ１０４などの温度センサを用いてユーザの体の位置や体温分布を検出し、これに基づいてユーザの顔の位置を特定するようにしてもよい。
【００２２】
また、センサ類１０１として、航空機用化粧室ユニットのドアの施錠状態を検知するドアスイッチを設けてもよい。この場合、例えばドアスイッチによりドアが施錠状態（化粧室利用中）と検知されている間は照明システム１０が起動し、ライト１００を点灯させる。また、ドアスイッチによりドアが開錠状態と検知されている場合は照明システム１０がスリープ状態となり、ライト１００も消灯する。
【００２３】
また、航空機特有の特徴として、航空機は出発地と到着地との間を移動しており、ユーザは飛行機への搭乗前後で異なる環境下に置かれるという点が挙げられる。
このため、ライト制御部１１０は、ユーザに顔に関する情報の検出結果とともに、航空機の到着地または発着地の少なくともいずれかの情報に基づいて、ライト１００の点灯状態を制御するようにしてもよい。
すなわち、例えばライト制御部１１０は、到着地の現在時刻（または到着地への到着時刻）をイメージした調光パラメータでライト１００を制御する。これにより、ユーザは到着地の現在時刻を直感的に把握することができ、時差ぼけ等を軽減することができる。また、例えば出発地をイメージした調光パラメータと到着地をイメージした調光パラメータとを所定間隔で切り替えて、その違いをユーザが比較できるようにしてもよい。
なお、このような調光方法は、航空機用化粧室ユニットに限らず、例えば空港内の化粧室など、様々な場所に適用可能である。
このように、本発明にかかる照明システム１０を航空機用化粧室ユニットに適用することによって、航空機用化粧室ユニットの利便性を向上させる上で有利となる。
【符号の説明】
【００２４】
１０  照明システム
２０  鏡
１００  ライト
１０１  センサ類
１０２  カメラ
１０４  赤外線センサ
１０６  タッチパネル
１０８  マイク
１１０  ライト制御部
【図１】
2020035584.tif 000003
【図２】
2020035584.tif 000004
【図３】
2020035584.tif 000005
【図４】
2020035584.tif 000006